(57)【要約】【課題】  水切り性が良く、便器の開口部の縁裏等の汚れを容易に清掃する。【解決手段】  柄部１１は直棒状の把持部１１ａと湾曲した曲棒部１１ｂとから成り、曲棒部１１ｂの下端にブラシ部１２の芯材部が連結されている。芯材部は円筒状の接続部と、この接続部から斜め下方向に延在する矩形状の板状体とから成り、板状体の長手方向の先端部は緩やかに略９０度上方に向けて曲折されている。芯材部はその長手方向を囲むように、内層の吸水層１４ａと外層の摺擦層１４ｂとから成る巻付部材１４により覆われている。吸水層１４ａは発泡樹脂層から成り、摺擦層１４ｂは硬質の天然繊維や化学繊維を固めている。芯材部の先端部の先方に位置する巻付部材１４は、前方に突出して２つ折りとされ、芯材部がない状態の柔軟な可撓部１４ｃとされている。【選択図】図１
2015058160.tif 000002
【特許請求の範囲】
【請求項１】
柄部に連結した合成樹脂の芯材部と、該芯材部の板状体に巻き付けた内層の吸水層と外層の摺擦層とから成る巻付部材とを備え、前記板状体はその先端部を稍々上方に折曲し、前記先端部の先方には前記巻付部材を２つ折りにし、重ね合わせた可撓部を設けたことを特徴とするトイレ用クリーナ。
【請求項２】
前記吸水層はスポンジとし、前記摺擦層は繊維を固めたものであり、水透過性を有することを特徴とする請求項１に記載のトイレ用クリーナ。
【請求項３】
前記巻付部材の両端付近の一部は、重なった状態で前記板状体と押さえ板により押さえ付けて固定したことを特徴とする請求項１又は２に記載のトイレ用クリーナ。
【請求項４】
前記芯材部の先端部は、緩やかに略９０度上方に向けて前記板状体から曲折したことを特徴とする請求項１〜３の何れか１項に記載のトイレ用クリーナ。
【請求項５】
前記可撓部には空洞部を設けたことを特徴とする請求項１〜４の何れか１項に記載のトイレ用クリーナ。
【発明の詳細な説明】
【技術分野】
【０００１】
本発明は、例えば便器に付着した汚れ等を除去するために使用するトイレ用クリーナに関するものである。
【背景技術】
【０００２】
従来例のトイレ用クリーナとして、特許文献１が開示されている。このトイレ用クリーナにおいては、図６に示すように柄３の先端に設けた取付部２に、不織布４を支持板５によって挟むようにして取り付けたトイレ用柄付き束子１が開示されている。支持板５は全体が長方形の板体状であり、一端の近傍を上方に傾斜するように折曲した部分を備えている。
【先行技術文献】
【特許文献】
【０００３】
【特許文献１】特開平１０−１１３３０７号公報
【発明の概要】
【発明が解決しようとする課題】
【０００４】
一般に、トイレ用クリーナは清掃が終わると水切りを行って保管する。先端の取付部２を左右上下に振ることによって支持板５に巻き付けられた不織布４に含まれる水分の水切りを行う。
【０００５】
しかし、水切りを行う場合に、先端の取付部２を強く振ると水滴が便器外に飛散するので、軽くしか振ることができず、水分が不織布４から十分に抜け切らないという問題がある。また、取付部２を便器の壁面等に押し付けたとしても、不織布４や天然繊維、化学繊維で構成した織布では、水を十分に絞ることができない。水切りが不十分のままでトイレ用クリーナを保管すると、雑菌が繁殖し易くなり不衛生である。
【０００６】
また、便器の形状は様々であり、特に便器開口部付近の裏側を清掃する場合に、便器の形状によっては特許文献１のトイレ用クリーナの形状では隅々まで清掃することができないという問題もある。このトイレ用クリーナは、不織布４の先端が上方に傾斜するように折曲形成した支持板５を備えてはいるものの、形状及び素材の変形性が十分ではなく、便器の開口部の縁裏にある隙間の隅々まで入り込むことができない。
【０００７】
本発明の目的は、上述の課題を解消し、水切り性が良く、便器の開口部の縁裏等の汚れを容易に清掃し得るトイレ用クリーナを提供することにある。
【課題を解決するための手段】
【０００８】
上記目的を達成するための本発明に係るトイレ用クリーナは、柄部に連結した合成樹脂の芯材部と、該芯材部の板状体に巻き付けた内層の吸水層と外層の摺擦層とから成る巻付部材とを備え、前記板状体はその先端部を稍々上方に折曲し、前記先端部の先方には前記巻付部材を２つ折りにし、重ね合わせた可撓部を設けたことを特徴とする。
【発明の効果】
【０００９】
本発明に係るトイレ用クリーナによれば、吸水層を含む巻付部材を芯材部の板状体に巻き付け、芯材部を便器の壁面等に押圧することで、吸水層が圧縮され、十分な水切りを容易に行うことができる。
【００１０】
また、芯材部の先端を折曲し、この先端の先方に巻付部材を２つ折りにし、重ね合わせた可撓部を設けることで、巻付部材の変形性を良好にした。この巻付部材を例えば便器裏の隙間に押し込むと可撓部が変形圧縮し、隅々の汚れを除去することが可能となる。
【図面の簡単な説明】
【００１１】
【図１】トイレ用クリーナの斜視図である。
【図２】ブラシ部の拡大断面図である。
【図３】ブラシ部による清掃状態の説明図である。
【図４】トイレ用クリーナを収納ケースに収納した状態の斜視図である。
【図５】断面図である。
【図６】従来例のトイレ用クリーナの断面図である。
【発明を実施するための形態】
【００１２】
本発明を図１〜図５に図示の実施例に基づいて詳細に説明する。
図１は実施例のトイレ用クリーナの斜視図であり、トイレ用クリーナ１０は主として、合成樹脂製又は軽金属製の棒体から成る柄部１１と、この柄部１１の下端に取り付けたブラシ部１２とから構成されている。
【００１３】
柄部１１は、手で握るための直棒状の把持部１１ａと、この把持部１１ａの下端に連結され、「く」の字状に湾曲した曲棒部１１ｂとから成っている。
【００１４】
また、曲棒部１１ｂの湾曲方向と反対側の把持部１１ａの下部に、トイレ用クリーナ１０を後述する収納ケースに係止するための係止溝１１ｃが設けられている。
【００１５】
図２はブラシ部１２の拡大断面図である。ブラシ部１２においては、曲棒部１１ｂの下端に合成樹脂材から成る芯材部１３が連結されている。芯材部１３は曲棒部１１ｂに接続する円筒状の接続部１３ａと、この接続部１３ａから斜め下方向に延在する矩形状の板状体１３ｂとから成っている。板状体１３ｂの長手方向の先端部１３ｃは緩やかに略９０度上方に向けて曲折されている。
【００１６】
板状体１３ｂ、先端部１３ｃはその長手方向を囲むように、巻付部材１４により覆われている。巻付部材１４は内層のスポンジ状の吸水層１４ａと外層のフェルト状の摺擦層１４ｂとから構成され、吸水層１４ａの厚みは摺擦層１４ｂの厚みに比べて若干厚くなっている。吸水層１４ａはポリウレタン等の合成樹脂を発泡成形した合成スポンジから成り、摺擦層１４ｂは硬質の天然繊維、化学繊維、又はナイロン等から成る不織布を平面状に固めたものであり、水透過性を有している。この摺擦層１４ｂには研磨剤を含有するようにしてもよい。なお、摺擦層１４ｂはその他にも、例えば表面に刷毛状の突起を設けた合成樹脂の成型品であってもよい。
【００１７】
板状体１３ｂの幅は巻付部材１４の幅よりも十分に狭く、巻付部材１４と板状体１３ｂに巻き付けた状態では図１に示すように、板状体１３ｂ、先端部１３ｃは側方からは見えない。
【００１８】
吸水層１４ａと摺擦層１４ｂとを重ねた巻付部材１４の一方の端部は、接続部１３ａの基部付近の板状体１３ｂの近傍に配置され、可撓部１４ｃを設けた状態で板状体１３ｂと先端部１３ｃを取り囲むように例えば接着剤等で固定されている。板状体１３ｂの先端部１３ｃの先方に位置する巻付部材１４は、前方に突出して２つ折りにし、重ね合わせた状態になっている。この重ね合わせた個所は、芯材部１３がない状態の柔軟な可撓部１４ｃとされている。なお、必要に応じて可撓部１４ｃには空洞部１４ｄを設けることもできる。
【００１９】
押さえ板１５の基部は斜め方向を向く円筒部１５ａを有し、芯材部１３の接続部１３ａはこの円筒部１５ａにより覆われている。また、円筒部１５ａ及び芯材部１３はピン１６により曲棒部１１ｂに固定されている。
【００２０】
更に、曲棒部１１ｂに固定された押さえ板１５と芯材部１３とにより、巻付部材１４は押さえ付けられて圧縮した状態で固定されている。巻付部材１４の両端付近の一部は、重なった状態で板状体１３ｂと押さえ板１５により強固に固定されているので、ブラシ部１２を被清掃面に激しく擦り付けたとしても、巻付部材１４はその端部から剥がれることはない。
【００２１】
トイレ用クリーナ１０の使用に際しては、ブラシ部１２を水に浸すなどして、吸水層１４ａに水を含ませ、ごわごわした摺擦層１４ｂに洗剤等を付して、吸水層１４ａから水を絞り出しながら、摺擦層１４ｂにより便器の壁面等の被清掃面を摺擦して清掃を行う。また、洗剤を使用する際は、吸水層１４ａに圧縮、膨張により洗剤の泡が発生し易くなり、水透過性を有する摺擦層１４ｂにより泡立てた洗剤を被清掃面に擦り付けて掃除を行うことができる。
【００２２】
図３は便器開口部の縁部の裏側Ａに、トイレ用クリーナ１０のブラシ部１２を押し込んだ状態の斜視図である。巻付部材１４の先端は可撓部１４ｃを備えているため、押し込みにより可撓部１４ｃは柔軟に変形する。この変形により、様々な形状を有する便器開口部の裏側Ａに対して、巻付部材１４を隅々まで入り込ませることができる。また、略９０度に折曲した先端部１３ｃにより、最適な角度で把持部１１ａを把持することができ、掃除を簡便に行うことができる。
【００２３】
更に、掃除が終了し水切りをする際は、トイレ用クリーナ１０のブラシ部１２を便器の壁面に板状体１３ｂ及び先端部１３ｃの形状に沿って押し付けると、吸水層１４ａが圧縮され、水が排出される。このため、従来例の不織布のみのトイレクリーナと比べて水切りが良好となる。
【００２４】
図４、図５に示すように、トイレ用クリーナ１０を収納ケース２０に収納する際は、係止溝１１ｃを収納ケース２０の円形の任意位置の開口縁部２１に引っ掛けるようにして係止する。ブラシ部１２は「く」の字状に湾曲した曲棒部１１ｂに連結しているため、収納ケース２０に係止しても、収納ケース２０の内壁２２に当接することはない。
【００２５】
また、係止溝１１ｃの近傍の把持部１１ａを直線状であるため、把持部１１ａは鉛直状態に保持され、かつブラシ部１２と曲棒部１１ｂと重さとのバランスから、柄部１１は直立し内側又は外側に倒れ込むことはない。従って、収納ケース２０内に水が垂れても水は底部２３に直接滴下するので収納ケース２０の内壁２２を汚すこともない。
【００２６】
このように水を除去してから収納ケース２０に収納すれば、乾燥も容易であり、カビ等を発生することなく、衛生的である。
【符号の説明】
【００２７】
１０  トイレ用クリーナ
１１  柄部
１１ａ  把持部
１１ｂ  曲棒部
１１ｃ  係止溝
１２  ブラシ部
１３  芯材部
１３ａ  接続部
１３ｂ  板状体
１３ｃ  先端部
１４  巻付部材
１４ａ  吸水層
１４ｂ  摺擦層
１４ｃ  可撓部
１４ｄ  空洞部
２０  収納ケース
【図１】
2015058160.tif 000003
【図２】
2015058160.tif 000004
【図３】
2015058160.tif 000005
【図４】
2015058160.tif 000006
【図５】
2015058160.tif 000007
【図６】
2015058160.tif 000008